(57)【要約】【課題】  水道端末止水栓取り付型のオゾン水生成器は止水栓の先に取り付けるため、その機器自体の能力で水量、オゾン濃度が決定して居り用途に合わせた使い勝手ができない欠点がある。 【解決手段】  本発明の水道ライン取付型は端末止水栓の手前に取付ける事が出来るためライン全体をオゾン水化する事が出来、各端末止水栓を解放した場合はすべての止水栓からオゾン水化した水を得る事が出来る。また、当該器をラインに複数台並列で接続する事で大水量の確保でき、当該器を直列に接続設置する事でオゾン水濃度を求める濃度に設定できるため広範囲の用途に使用する事が可能となり衛生環境に寄与できる有意義なオゾン水生成器を提供する。【選択図】図３
2009220016.tif 000002
【特許請求の範囲】
【請求項１】
水道ラインに取り付けるオゾン水生成器であって、そのオゾン水生成方式は電解式、及び気相発生オゾンガスを水に混入させる所謂イジェクター式によるオゾン水生成器であり、オゾン発生用の電源は当該機器に備え付けた発電機によりラインを通過する水流圧で発電機を稼働させることにより発電された電力を用いる、又は外部から導入された電力に依る水道ライン取り付型オゾン水生成器。
【請求項２】
水道ラインに取り付けるオゾン水生成器であって、当該機器を並列又は直列に配する事でオゾン濃度、水量の調節を出来る機能を有した水道ライン取り付型オゾン水生成器。
【発明の詳細な説明】
【技術分野】
【０００１】
本考案は、水道ラインに設置するオゾン水生成器で有り、当該機器を通過した水はオゾン水としてライン端末よりオゾン水化された水を供給するためのオゾン水生成器に関するものである。
【背景技術】
【０００２】
現在、止水栓に取り付ける種類のオゾン水生成器は多数存在するが、水道ライン上に設置するタイプは見受けられない。
【０００３】
その理由として考えられるのは、近年やっとオゾン水の有効性が認知されて端末の止水栓に取り付けるタイプのオゾン水生成器が出現したが水道ライン上に取り付けるタイプの開発に至っていないと推測できる。
【０００４】
水道ラインに接続した場合、電解式においてはその機器の能力においてオゾン濃度、水量が限定的なものになって仕舞う。オゾンガスイジェクター式においてはオゾンガスをライン上の水と混入させる場合、イジェクター部オゾンガス導入穴用から端末止水栓を閉じた場合、水圧によりライン上の水が流入して仕舞う技術的な問題を克服する必要があった。
【０００５】
しかし、オゾン水の有効性を考慮した場合、個々の端末止水栓にオゾン水生成器を取り付けることは否定しないが、水道ライン上に設置した場合、全ての端末止水栓からオゾン水の供給が受けられる様な機器を考案することで各給水栓から放水される水のすべてが生活水、または産業上の用水として簡便にオゾン水が使用可能となり各方面の要望に寄与できる。
【特許文献１】特許公開２００３‐３２０２３２
【特許文献２】特許公開２００５‐１６９２９７
【非特許文献１】日本オゾン協会出版物
【発明の開示】
【発明が解決しようとする課題】
【０００６】
この場合、当該機器は水道ライン上に設置するので端末止水栓が閉じている場合は当然一定の水圧が有り、当該オゾン水生成器の機器内部に水道水が流入するのでそれを回避する機能を備える必要がある。
【０００７】
比較的容易に採用できる方法としては電解方式によるオゾン水生成器である。この方法であればオゾン水生成器に１０Ｍｐａ程度の高水圧が掛かってもオゾン水生成器何らの損傷を受けることなく、当該器を通過する水を電気的に分解しオゾン水を生成する事が出来る。しかし、電解式の場合は装置能力にもよるが水流量と電解能力の相互関係から考慮した場合水量が著しく少なくしないと目的のオゾン水濃度が得られない。
【０００８】
一方、気相放電による発生オゾンガスを水に混入させてオゾン水を生成する方式の機器では通常、水の流れにより負圧を生じる様な構造をした水管に穴を設け、その穴にオゾンガスを導入させて水管を水が流れた時生じる負圧によりオゾンガスを水管に吸引してオゾン水を生成する所謂イジェクター方式では、端末止水栓で水流を遮断した場合、該機器に水圧が掛かかり水道水がイジェクター部オゾンガス導入穴(１)に回ってオゾンガス発生装置へと流入し機器が破損して仕舞ため流入防止の完璧な対策を講じなければならない。
【課題を解決するための手段】
【０００９】
そこで、当該品のうち電解式オゾン水生成器の場合は水圧による影響を回避するのは、本器構成部材同士の接合部と水道水の接触部は通常の耐オゾン材のパッキングを使用して漏水対策が容易にできる。オゾン水の濃度と水量に関しては同器を複数台組み合わせて設置することで解決できる。
【００１０】
一方、気相放電による発生オゾンを使用する場合のオゾンガス製造する法、オゾンと水の混入法などは既に出願済の「特願２００３‐４１４４１９」「特願２００４‐３３８６７４」「ＰＣТ／ＪＰ２００６／３１９９３４」の技術を複合的に使用する事で容易に解決できる。しかし水道のラインに接続する本考案の機器でイジェクター方式は甚だ厄介でる。端末給水栓を解放した場合はオゾンガスを水流に伴って吸引し、端末給水栓を閉じた場合はオゾンガスをラインに導くイジェクター用穴(１)を機械的に一瞬で完全に閉鎖しなければならない。そこで当該機器は先に特許出願済で有る「特願２００６‐３３２７２１」同様の構造で良いが、イジェクター部のオゾンガス導入穴を塞ぐステンレス球(２)、ステンレス球を受ける弾力性の有るシールドリング(３)、端末止水栓を閉じた場合瞬間的にステンレス球を移動しシールドリングに密着封印させるためのスプリング(４)を配することで解決できる。
【発明の効果】
【００１１】
本発明は、水道ラインに組み込む事が出来るので集中してオゾン水を生成し、各端末止水栓を解放したとき全ての端末止水栓からオゾン水を利用できるのでオゾンによる殺菌作用が手軽に衛生的な生活環境が構築できる。或いは幅広い産業上の用水として利用できる。
【発明を実施するための最良の形態】
【００１２】
電解式の場合の最大の問題は必要オゾン水濃度に見合った必要水量が得られないことにあるで満足するオゾン水濃度と水量を確保する機器構成を考慮した。
【００１３】
気相放電による発生オゾンガスを水に混入させてオゾン水を生成する方式の場合、オゾンガスをラインに導くイジェクター用穴からの流入水防止と電解式の場合と同様にオゾン水濃度と水量確保を考慮した。
【実施例１】
【００１４】
本発明は電解式の場合、小型の装置を複数台使用することにある、まずオゾン水濃度を高める図(３)の３の１で示す様に当該器を複数個水道ライン上に直列で設置する事で解決する。水量の確保は同当該器をライン上に図(３)の３の２で示す様に並列配置する事で解決する。更に、当該器設置にあたっては当該器の能力を十分発揮させるため水道ライン上、当該器の設置の手前に軟水化装置を付加することでより効果的になる。
【実施例２】
【００１５】
気相放電による発生オゾンガスを水に混入させてオゾン水を生成する方式の場合、端末止水栓で給水を遮断し水圧が発生するので同時にイジェクター部オゾンガス導入穴(１)を瞬間的、且つ完璧に塞ぐこと、よって図(１)の様にステンレス球(２)、ステンレス球を受ける弾力性の有るシールドリング(３)、端末止水栓を閉じた場合瞬間的にステンレス球を移動しシールドリングに密着封印させるためのスプリング(４)を配することで解決できる。
【００１６】
次いで端末止水栓を解放した場合、イジェクター部の水流に伴い負圧が生じスプリング(４)によりシールドリング(３)に密着していたステンレス球(２)がスプリングの縮みでオゾンガスを吸引し、ライン上を水道水とオゾンが混入し端末止水栓から放水されオゾン水として利用することが出来る。
【００１７】
その構造は図(１)の断面図によって示すとおりオゾンガスはスプリング(４)でシールドリング(３)に密着しているステンレス球(３)で密閉されて居るが止水栓の解放により水道水が(Ｂ)方向から(Ｃ)方向に流れるとイジェクターノズル(５)に負圧が発生しプリング(４)の押し圧をはねのけステンレス球(２)とシールドリング(３)に隙間が生じ(Ａ)方向から(Ｃ)方向ラインに流入しイジェクターノズル(５)の先端で水とオゾンが同時に噴射し混合される。
【００１８】
気相放電による発生オゾンガスを水に混入させてオゾン水を生成する方式の場合、空気原料にオゾンガスを発生させるため副産物として同時に窒素酸化物も生成されるので触媒等で除去する装置の併設を実施する事でより優れた機器を構成する。
【００１９】
気相放電による発生オゾンガスを水に混入させてオゾン水を生成する方式の場合においても電解式同様当該器を直列、並列に設置する事で求める最良のオゾン水を得る事ができる。
【産業上の利用可能性】
【００２０】
以上の構成に基づいて本発明は、従来型のライン端末に取り付けるオゾン水生成器では出来なかった事が可能になる。その１として個々の止水栓に取り付けるタイプは水量が限定され仕舞う、その２オゾン濃度は止水栓に取り付けた機器の能力に限定して仕舞う。これらの障害を取り除く事が可能となった。水量については当該機器をラインに取り付けるため端末止水栓の先に機器を取り付けないので止水栓解放後の障壁がないので水量の確保が出来る。万一ライン上に取り付けた本発明品の抵抗で水量が少なくなる場合は、当該機器をラインに沿って並列配置する事で水量の確保は可能となる。同様にその２のオゾン濃度に関しても高濃度のオゾン水を必要とする場合に於いて、端末止水栓に取り付けた場合は当然にして、その機器の能力に限定されたオゾン濃度のオゾン水しか得る事が出来ない。ここで本発明のライン取り付型にした場合のオゾン濃度は当該機器を直列に設置する事で求める濃度のオゾン水を得る事ができる。よって、大水量が必要、且つオゾン濃度についての管理が要求される、たとえばスイミングプール水の洗浄用、収穫野菜の洗浄、大型浴場の洗浄、家畜場の清掃など広範囲の用途で利用可能である。 
【図面の簡単な説明】
【００２１】
【図１】本発明に供する断面図
【図２】本発明に供する外観イメージ図
【図３】本発明に供する（実施例１及び２）
【符号の説明】
【００２２】
(１)      イジェクター部オゾンガス導入穴
(２)      ステンレス球
(３)      シールドリング
(４)      スプリング
(５)      イジェクターノズル
(６)      配管用ニップル
(７)      オゾン発生器本体
【図１】
2009220016.tif 000003
【図２】
2009220016.tif 000004
【図３】
2009220016.tif 000005